(57)【要約】【課題】サイド型コネクタが有するコンタクトのリード部が、不正に電気接続されることを困難とするコネクタを提供する。【解決手段】コネクタ１０はプリント基板１ｐに実装され、相手側コネクタがプリント基板１ｐの実装面１１ｐと略平行に挿入される。コネクタ１０は、一方の端部が開口されたコンタクト収容室１１を有するハウジング１と、ハウジング１内部に保持されるコンタクト２を備える。コンタクト２は、リード部２１が開口１１ａに向ってコンタクト収容室１１内に延出して略直角に屈曲し、リード部２１はコンタクト収容室１１外に突出してプリント基板１ｐに接合される。リード部２１が突出しているハウジング１の平面はプリント基板１ｐに当接され、かつ、開口１１ａを閉塞するカバー３が設けられている。【選択図】        図９
2006221926.tif 000002
【特許請求の範囲】
【請求項１】
相手側コネクタがプリント基板の実装面と略平行に挿入され、このプリント基板に実装されるコネクタであって、
一方の端部が開口されたコンタクト収容室を有する絶縁性のハウジングと、このハウジング内部に保持される複数の導電性のコンタクトと、を備え、
前記複数のコンタクトは、一方のリード部が前記開口に向って当該コンタクト収容室内に延出して略直角に屈曲し、
このリード部は当該コンタクト収容室外に突出して前記プリント基板に接合され、
前記リード部が突出している前記ハウジングの平面は前記プリント基板に当接され、かつ、前記開口を閉塞する絶縁性のカバーが設けられているコネクタ。
【請求項２】
前記複数のコンタクトが前記ハウジング内部に固定されている請求項１記載のコネクタ。
【請求項３】
前記一方のリード部がコンタクト収容室外に突出するための複数の切り欠き溝が前記開口に設けられている請求項１又は２記載のコネクタ。
【請求項４】
前記カバーは、前記開口から前記ハウジング内部に向って嵌合される請求項１から３のいずれかに記載のコネクタ。
【請求項５】
前記一方のリード部が突出している前記ハウジングの平面に、前記プリント基板と係合する係止手段が設けられている請求項１から４のいずれかに記載のコネクタ。
【請求項６】
前記コンタクトが一対の板状コンタクトである請求項１から５のいずれかに記載のコネクタ。
【発明の詳細な説明】
【技術分野】
【０００１】
本発明は、電気接続用のコネクタに関する。特に、プリント基板に実装されるコネクタの構造に関する。
【背景技術】
【０００２】
例えば、一方のコネクタはプリント基板に実装され、他方のコネクタは電線を有し、一方のコネクタと他方のコネクタが接続されることにより、プリント基板と電線が電気接続される。電源接続用のコネクタにおいては、前記一方のコネクタはジャックと呼ばれ、プリント基板用のジャックには通常、２本又は３本のおすコンタクトが挿入されている。一方、このジャックと結合する前記他方のコネクタはプラグと呼ばれ、通常めすコンタクトが挿入されている。
【０００３】
又、シェルタイプの多極のコネクタにおいては、前記一方のコネクタはリセプタクルと呼ばれ、通常複数のおすコンタクトが挿入されている。一方、前記他方のコネクタはプラグと呼ばれ、通常複数のめすコンタクトが挿入されている。そして、リセプタクルはプラグに結合する。
【０００４】
このような一対のコネクタの内、例えば、プラグは複数の圧着コンタクトを有し、この圧着コンタクトに電線の端末が圧着接続されている。このような圧着コネクタ（プラグ）は、圧着コンタクトの圧着部（クリンプバレル）の一部が露出されている。前述のような圧着コネクタは、例えば、パチンコやパチスロなどの遊技機に使用されている。
【０００５】
一方、前記のような遊技機に種々の不正操作を加えて、パチンコ玉やメダルを不当に獲得しようとする者がいる。いわゆるゴト師と称される不正行為者は、遊技機内部に配置されている圧着コネクタの露出部をショートし、又は圧着コネクタの露出部に不正な回路基板を接続するなどの操作を実行しようと画策する。
【０００６】
前述のような遊技機に備わる圧着コネクタに対する不正操作を防止するために、既存の圧着コネクタに適用でき、簡易な構成で圧着コネクタの前記露出部への電気的接続を防止するコネクタカバーが発明されている（例えば、特許文献１参照）。
【０００７】
特許文献１によるコネクタカバーは、圧着コネクタを挟んで嵌合されて、当該圧着コネクタに取着される同一形状をした一対のコネクタカバーで構成されている。そして、圧着コネクタを挟持した状態で電線とコンタクトとの接続領域を覆う構成としている。一対のコネクタカバーを互いに嵌合させて両者間に圧着コネクタを挟持することで、コンタクトと電線との接続部をコネクタカバーによって覆い隠し、圧着コネクタに対する外部からの不正な電気接続を防止することが可能になるとしている。
【特許文献１】特開２００３−３３１９４６号公報
【発明の開示】
【発明が解決しようとする課題】
【０００８】
前述のような圧着コネクタと対になるコネクタには、例えば、プリント基板用のコネクタ（ジャック又はリセプタクル）がある。そして、プリント基板用コネクタには、プリント基板の部品実装面に対して、直交する方向から相手側コネクタが結合される垂直取付形のコネクタ（いわゆる、トップ型コネクタ）と、プリント基板の部品実装面と平行する方向から相手側コネクタが結合される水平取付形のコネクタ（いわゆる、サイド型コネクタ）の二種類がある。
【０００９】
前述のような遊技機に、いわゆるトップ型コネクタが使用された場合に、一般に、プリント基板の部品実装面にコンタクトのリード部がハウジングで囲われているので、不正行為者がこのコンタクトに電気接続することはかなり困難である。
【００１０】
一方、いわゆるサイド型コネクタは、一般にコンタクトのリード部がハウジングから突出して、略直角に折り曲げられて、プリント基板の部品実装面にはんだ接合されている。このように、サイド型コネクタはコンタクトのリード部が外部に露出しており、不正行為者はこのコンタクトに電気接続することが容易となる。
【００１１】
プリント基板に取り付けられるサイド型コネクタのコンタクトに、不正行為者が電気接続することが困難となるような対策が求められている。例えば、サイド型コネクタをプリント基板に実装した後に、前記コンタクトの露出部を絶縁性の合成樹脂で被膜する対策が考えられる。しかし、前記の対策は、保守や修理でサイド型コネクタを交換した後、再び被膜するという不便が生ずる。又、サイド型コネクタをプリント基板に実装した後に、前記コンタクトの露出部をハウジングと共にカバー（又は、キャップ）で囲うという対策が考えられる。しかし、カバーなどの別部材を組み立てることは、自動実装が普及している状況で新たに取り付け作業を伴うので好ましくないと考えられる。サイド型コネクタの構造自体に、前記の対策が含まれていることが好ましい。つまり、これらが本発明の課題といってよい。
【００１２】
本発明は、このような課題に鑑み、プリント基板に実装されるサイド型コネクタにおいて、当該サイド型コネクタが有するコンタクトのリード部が、不正に電気接続されることを困難とするコネクタを提供することを目的とする。
【課題を解決するための手段】
【００１３】
発明者は、上記目的を満たすため、サイド型コネクタの一方の端部にフォーウォール（四側壁）形のコンタクト収容室を設け、当該コンタクト収容室の開口をカバーで閉塞する構成とし、当該コンタクト収容室内に配置されるコンタクトのリード部への電気接続を困難とする以下のような新たなコネクタを発明した。
【００１４】
（１）  相手側コネクタがプリント基板の実装面と略平行に挿入され、このプリント基板に実装されるコネクタであって、一方の端部が開口されたコンタクト収容室を有する絶縁性のハウジングと、このハウジング内部に保持される複数の導電性のコンタクトと、を備え、前記複数のコンタクトは、一方のリード部が前記開口に向って当該コンタクト収容室内に延出して略直角に屈曲し、このリード部は当該コンタクト収容室外に突出して前記プリント基板に接合され、前記リード部が突出している前記ハウジングの平面は前記プリント基板に当接され、かつ、前記開口を閉塞する絶縁性のカバーが設けられているコネクタ。
【００１５】
（１）の発明は、相手側コネクタがプリント基板の実装面と略平行に挿入され、このプリント基板に実装されるコネクタであって、一方の端部が開口されたコンタクト収容室を有する絶縁性のハウジングと、このハウジング内部に保持される複数の導電性のコンタクトと、を備えている。
【００１６】
相手側コネクタは電線付きのコネクタであってよく、プリント基板用のコネクタであってもよい。したがって、相手側コネクタと本発明によるコネクタの組合せは、いわゆるワイヤー・ツゥー・ボード・コネクタ（Ｗｉｒｅ  ｔｏ  Ｂｏａｒｄ  Ｃｏｎｎｅｃｔｏｒ）であってよく、いわゆるボード・ツゥー・ボード・コネクタ（Ｂｏａｒｄ  ｔｏ  Ｂｏａｒｄ  Ｃｏｎｎｅｃｔｏｒ）であってもよい。
【００１７】
プリント基板は、硬質基板（リジット基板）が好ましく、両面プリント基板であってもよく、多層プリント基板であってもよい。例えば、このプリント基板は、パチンコやパチスロなどの遊技機に使用されている。
【００１８】
相手側コネクタがプリント基板の実装面と略平行に挿入されるこのコネクタは、水平取付形のコネクタ、いわゆるサイド型コネクタであってよい。当該コネクタは、電源接続用のジャックであってよく、シェルタイプの多極のリセプタクルであってもよい。又、相手側コネクタと確実に機械的又は電気的に結合するために、このコネクタにロック機構を設けてもよい。
【００１９】
コネクタがプリント基板に実装されるとは、コネクタに設けられる複数のコンタクトがプリント基板に接合されることを少なくとも含む。そして、後述するようにコネクタ本体（ハウジング）が適宜な係止手段でプリント基板に係合する場合を含んでよい。例えば、ハウジングに止め穴付きフランジを設け、このフランジをねじなどの締結具でプリント基板に固定してもよい。
【００２０】
絶縁性のハウジングとは、非導電性の材料からなるハウジングのことであってよく、例えば、ＰＰＳ（ｐｏｌｙｐｈｅｎｙｌｅｎｅ  ｓｕｌｆｉｄｅ）やＰＢＴ（ｐｏｌｙｂｕｔｙｌｅｎｅ  ｔｅｒｅｐｈｔｈａｌａｔｅ）などのエンジニアリングプラスチックを成型して、絶縁性のハウジングを得ることができる。
【００２１】
このハウジングは、一方の端部が開口されたコンタクト収容室を有しており、他方の端部は、例えば、相手側コネクタが挿入される接続開口を有するコネクタ収容室を設けてもよい。前記コネクタ収容室はインサートキャビティ又はコンタクトキャビティと言われるコンタクトを保持する空洞であってもよい。コンタクト収容室は、コンタクトを保持又は収納する場所を含む空間であって、ハウジング内に形成されるものを含んでいてよい。コンタクトはその一部が、コンタクト収容室に挿入、保持、収納等により配置されてよい。コンタクト収容室は複数のコンタクトを相互に隔絶するように仕切り壁が設けられ、当該コンタクト収容室が複数の収容室に分かれてもよい。
【００２２】
このハウジングは、例えば、略直方体状に形成される。そして、一方の端部に開口されたフォーウォール形のコンタクト収容室が形成される。このハウジングはプリント基板の実装面に当接される平面を少なくとも有していればよく、例えば、前記平面と対向する面は円弧を含む曲面で形成されてもよい。
【００２３】
導電性のコンタクトは、導電性の材料からなるコンタクトのことであってよく、導電性の金属からなることが好ましい。例えば、このコンタクトは、銅、鉄、アルミニウムなどの金属板を成型加工して得ることができる。加工容易性や導電性能（低電気抵抗）の上から、このコンタクトは、銅が使用されることが好ましい。このコンタクトはおすコンタクトであってよく、例えば、細長いピンコンタクトであってよく、又は細長い板状のコンタクトであってもよい。
【００２４】
コンタクトがハウジング内部に保持されるとは、例えば、このコンタクトにヤリ状の突起（コンタクトランス）を設け、又は、ハウジングはヤリ状の突起（ハウジングランス）を設け、コンタクトとハウジングが係合して保持されることを含み、例えば、コンタクトがハウジング内部に圧入されて保持されることを含んでよい。
【００２５】
そして、（１）の発明は、複数のコンタクトは一方のリード部が前記開口に向ってコンタクト収容室内に延出して略直角に屈曲している。このリード部はコンタクト収容室外に突出してプリント基板に接合される。リード部が突出しているハウジングの平面は前記プリント基板に当接され、かつ、開口を閉塞する絶縁性のカバーが設けられている。
【００２６】
例えば、コンタクト収容室とコネクタ収容室は隔壁で遮られ、当該隔壁から一方のリード部が前記開口に向ってコンタクト収容室内に延出している。例えば、他方のリード部は当該隔壁からコネクタ収容室に延出する。一方のリード部が開口に向ってコンタクト収容室内に延出しているとは、この一方のリード部が開口外に延出しないことを意味している。そして、このリード部は略直角に屈曲し、コンタクト収容室外に突出してプリント基板に接合される。
【００２７】
リード部がプリント基板に接合されるとは、プリント基板に設けられるスルーホールにリード部が挿入されてはんだ接合されることを含み、リード部にプレスインターミネーションが設けられ、このリード部が無はんだプレスインによりプリント基板に設けられるスルーホールに圧入接合されることを含んでもよい。前記プレスインターミネーションは、弾性をもたないソリッドタイプであってよく、スプリング構造を有するコンプライアントタイプであってもよい。
【００２８】
例えば、このコンタクトは、一方のリード部が予め略直角に屈曲されており、ハウジングに圧入されてよく、このコンタクトがハウジングに圧入された後に、一方のリード部が略直角に屈曲されてもよい。
【００２９】
このカバーがハウジングの開口を閉塞するというのは、少なくともコンタクトのリード部がカバーで覆われることにより、外部から一方のリード部が見えなくなったり、外部から一方のリード部が電気的又は物理的に接触できなくなることを含んでよい。このカバーは、ハウジングと同じく非導電性の材料からなることが好ましく、非導電性の材料であれば、ハウジングと同材質であることに限定されない。このカバーは、例えば、エンジニアリングプラスチックを成型して、略平板形状のカバーを得ることができる。
【００３０】
この発明によるコネクタは、ハウジングと複数のコンタクトとを備え、ハウジングの一方の端部に設けられた開口がカバーで閉塞されている。そして、カバー付きのコネクタがプリント基板に実装される。この発明によるコネクタは、コンタクトをフォーウォール形のコンタクト収容室に収容し、当該コンタクト収容室の開口をカバーで閉塞しているので、従来のようにコンタクトが露出することなく、コンタクトへの電気接続を困難としている。この発明によるコネクタは、コンタクトに不正に電気接続されることを困難としている。
【００３１】
（２）  前記複数のコンタクトが前記ハウジング内部に固定されている（１）記載のコネクタ。
【００３２】
このコンタクトは、例えば、一体成形、圧入などの工法でハウジング内部に組み込まれた後は、当該コンタクトの取り外しが困難な固定型コンタクトであってよい。
【００３３】
（３）  前記一方のリード部がコンタクト収容室外に突出するための複数の切り欠き溝が前記開口に設けられている（１）又は（２）記載のコネクタ。
【００３４】
例えば、このコンタクトは、一方のリード部が予め略直角に屈曲されており、他方のリード部がハウジングに圧入される。そして、リード部の屈曲部から先端に至る部位が切り欠き溝に挿通され、開口に遮られることなく、圧入できる。
【００３５】
（４）  前記カバーは、前記開口から前記ハウジング内部に向って嵌合される（１）から（３）のいずれかに記載のコネクタ。
【００３６】
例えば、カバーには対向する一対の爪が設けられ、当該一対の爪が開口からハウジング内部に挿入される。一方、開口内には対向する一対の鋸歯状の切り込みが形成されており、当該一対の爪と当該一対の切り込みが嵌合するようにしてもよい。このカバーは開口に嵌め込まれた後は、容易に取り外すことができない、いわゆる「はめ殺し」により嵌合されることが好ましいが、このカバーが着脱自在に開口に嵌合してもよい。
【００３７】
（５）  前記一方のリード部が突出している前記ハウジングの平面に、前記プリント基板と係合する係止手段が設けられている（１）から（４）のいずれかに記載のコネクタ。
【００３８】
例えば、一方のリード部が突出しているハウジングの平面に、一対のすり割ピンを突出するように設け、この一対のすり割ピンがプリント基板に設けられる係止穴に圧入されて、コネクタとプリント基板が係合するようにしてもよい。つまり、この一対のすり割ピンを前記係止手段としてもよい。又、例えば、一方のリード部が突出しているハウジングの平面に、一対のフックを突出するように設け、この一対のフックがプリント基板に設けられる係止穴に挿入されて、コネクタとプリント基板が係合するようにしてもよい。つまり、この一対のフックを前記係止手段としてもよい。
【００３９】
このように、一方のリード部が突出しているハウジングの平面に、プリント基板と係合する係止手段を設けることにより、相手側コネクタの挿抜に対して、このコネクタがプリント基板から容易に離脱しないように補強している。
【００４０】
（６）  前記コンタクトが一対の板状コンタクトである（１）から（５）のいずれかに記載のコネクタ。
【００４１】
例えば、この発明によるコネクタは、電源用の電力を伝える電源用ジャックであってよい。このような電源用ジャックは、一対の板状コンタクトが好適に用いられる。前記板状コンタクトはタブコンタクトとも言われる。
【発明の効果】
【００４２】
この発明によるコネクタは、ハウジングと複数のコンタクトとを備え、ハウジングの一方の端部に設けられた開口がカバーで閉塞されている。そして、カバー付きのコネクタがプリント基板に実装される。この発明によるコネクタは、コンタクトをフォーウォール形のコンタクト収容室に収容し、当該コンタクト収容室の開口をカバーで閉塞しているので、従来のようにコンタクトが露出することなく、コンタクトへの電気接続を困難としている。この発明によるコネクタは、コンタクトに不正に電気接続されることを困難としている。
【発明を実施するための最良の形態】
【００４３】
以下、図面を参照して本発明を実施するための最良の形態を説明する。
【００４４】
図１は、本発明によるコネクタの一実施形態を示す斜視外観図である。図１は、コネクタを一方の端部側から観ている。図２は、前記実施形態によるコネクタの斜視外観図である。図２は、コネクタを他方の端部側から観ている。図３は、前記実施形態によるコネタタの斜視外観図である。図３はコネクタにカバーが閉じられた状態図である。
【００４５】
図４は、前記実施形態によるコネクタの平面図である。図５は、前記実施形態によるコネクタの正面図である。図６は、前記実施形態によるコネクタの下面図である。図７は、前記実施形態によるコネクタの右側面図である。図８は、前記実施形態によるコネクタの左側面図である。図４から図８は、コネクタにカバーが取り付けられていない状態図である。
【００４６】
図９は、図７のＡ−Ａ矢視断面図であり、コネクタにカバーが取り付けられた状態図である。
【００４７】
最初に、本発明によるコネクタの構成を説明する。図９において、コネクタ１０はプリント基板１ｐに実装されている。そして、図５において、相手側コネクタ（図示せず）がプリント基板１ｐの実装面１１ｐと略平行に挿入される。図５において、相手側コネクタは矢印Ｘ１の方向からコネクタ１０に挿入され、相手側コネクタは矢印Ｘ２の方向に抜去される。
【００４８】
図１において、コネクタ１０は、一方の端部が開口されたコンタクト収容室１１を有する絶縁性のハウジング１を備えている。又、コネクタ１０は、ハウジング１内部に保持される一対の導電性のコンタクト２を備えている。図２において、コネクタ１０は、他方の端部に相手側コネクタが挿入される接続開口１２ａを有するコネクタ収容室１２が設けられている。
【００４９】
図１から図３に示されるように、ハウジング１は略直方体状に形成されている。図１において、コンタクト収容室１１には仕切り壁１３が設けられ、一対のコンタクト２は仕切り壁１３で相互に隔絶されている。コンタクト収容室１１は矩形状の開口１１ａを有している（図７参照）。一方、コネクタ収容室１２には仕切り壁１４が設けられ、一対のコンタクト２は仕切り壁１４で相互に隔絶されている（図２及び図９参照）。コネクタ収容室１２は矩形状の接続開口１２ａを有している（図８参照）。
【００５０】
図９に示されるように、コンタクト収容室１１とコネクタ収容室１２は、隔壁１５で遮られている。そして、一対のコンタクト２が隔壁１５に圧入されて、ハウジング１内部に保持されている。一対のコンタクト２は、ハウジング１内部に組み込まれた後は、当該コンタクト２の取り外しが困難な固定型コンタクトとなっている。
【００５１】
図９において、コンタクト２の一方のリード部２１は、隔壁１５から開口１１ａ（図１参照）に向ってコンタクト収容室１１内に延出している。リード部２１は略直角に屈曲し、コンタクト収容室１１外に突出してプリント基板１ｐにはんだ接合される。そして、リード部２１が突出しているハウジング１の平面はプリント基板１ｐに当接されている。
【００５２】
一方、コンタクト２の他方のリード部２２は、隔壁１５から接続開口１２ａ（図８参照）に向ってコネクタ収容室１２内に延出している（図８又は図９参照）。リード部２２は相手側コネクタが有するコンタクト（図示せず）と接触する。
【００５３】
図１において、一対の切り欠き溝１１ｂが開口１１ａに設けられている。前述のとおり、コンタクト２は、リード部２１が予め略直角に屈曲されており、リード部２１がハウジング１に圧入される。そして、リード部２１の屈曲部から先端に至る部位が切り欠き溝１１ｂに挿通され、開口１１ａに遮られることなく、圧入できる（図９参照）。
【００５４】
図１から図３において、コネクタ１０には、開口１１ａを閉塞する絶縁性のカバー３が設けられている。そして、カバー３は、開口１１ａからハウジング１内部に向って嵌合される。
【００５５】
図２に示されるように、カバー３には、略平板状のカバー本体３１から突出する対向する一対一組の爪３２が設けられている。一方、開口１１ａ内には対向する一対の鋸歯状の切り込み１６が形成されている（図１参照）。カバー本体３１と共に一対の爪３２を開口１１ａからハウジング１内部に挿入すると、一対の爪３２は互いに内側に弾性変形した後に復帰して一対の切り込み１６に嵌合する。カバー３は開口１１ａに嵌め込まれた後は、容易に取り外すことができない、いわゆる「はめ殺し」により嵌合されている。
【００５６】
図１から図３において、リード部２１が突出しているハウジング１の平面には、プリント基板１ｐと係合する一対のすり割ピン４が設けられている。すり割ピン４はＬ字状に屈曲された金属板であり、一方の折り曲げ片４１は一対の溝１７に圧入されている（図１及び図２参照）。一方、すり割ピン４の他方の折り曲げ片４２はすり割が形成されている。一対のすり割ピン４は、ハウジング１の前記平面から突出して、プリント基板１ｐに設けられる係止穴（図示せず）に係合する係止手段となっている。
【００５７】
次に、本発明による作用を説明する。コネクタ１０は、ハウジング１と一対のコンタクト２とを備えており、ハウジング１の一方の端部に設けられた開口１１ａがカバー３で閉塞されている。そして、カバー３付きのコネクタ１０がプリント基板１ｐに実装される（図９参照）。
【００５８】
コネクタ１０は、コンタクト２をフォーウォール形のコンタクト収容室１１に収容し、コンタクト収容室１１の開口１１ａをカバー３で閉塞している。そして、コンタクト２のリード部２１がカバー３で覆われることにより、外部からリード部２１が電気的又は物理的に接触することを困難としている。このように、本発明によるコネクタは、従来のようにコンタクトが露出することなく、コンタクトへの電気接続を困難としている。この発明によるコネクタは、コンタクトに不正に電気接続されることを困難としている。
【００５９】
又、コネクタ１０は、リード部２１が突出しているハウジング１の平面に、プリント基板１ｐと係合する一対のすり割ピン４を設けている。そして、相手側コネクタの挿抜に対して、コネクタ１０がプリント基板１ｐから容易に離脱しないように、一対のすり割ピン４が補強している。
【００６０】
この発明によるコネクタは、一実施の形態として電源用の電力を伝える電源用ジャックを提示した。そして、この電源用ジャックのコンタクトとして、一対の板状コンタクトを用いた。この二つの板状コンタクトはそれぞれに正負又は正とアースのような関係で用いることができる。
【００６１】
この発明によるコネクタは一実施の形態として電源用ジャックを提示したが、この電源用ジャックに限定されるものではない。この発明による技術的思想を応用すれば、例えば、多極のリセプタクルに適用されてもよい。なお、この発明によるコネクタは、使用環境によっては、カバーを付けることなく、サイド型コネクタとして使用できる。つまり、購入者はカバー付きコネクタとカバー無しコネクタのいずれかが選択可能である。
【図面の簡単な説明】
【００６２】
【図１】本発明によるコネクタの一実施形態を示す斜視外観図である。
【図２】前記実施形態によるコネクタの斜視外観図である。
【図３】前記実施形態によるコネクタの斜視外観図であり、コネクタにカバーが閉じられた状態図である。
【図４】前記実施形態によるコネクタの平面図である。
【図５】前記実施形態によるコネクタの正面図である。
【図６】前記実施形態によるコネクタの下面図である。
【図７】前記実施形態によるコネクタの右側面図である。
【図８】前記実施形態によるコネクタの左側面図である。
【図９】図７のＡ−Ａ矢視断面図であり、コネクタにカバーが取り付けられた状態図である。
【符号の説明】
【００６３】
１    ハウジング
１ｐ    プリント基板
２    コンタクト
３    カバー
１０    コネクタ
１１    コンタクト収容室
１１ａ    開口
１１ｐ    実装面
２１    一方のリード部
【図１】
2006221926.tif 000003
【図２】
2006221926.tif 000004
【図３】
2006221926.tif 000005
【図４】
2006221926.tif 000006
【図５】
2006221926.tif 000007
【図６】
2006221926.tif 000008
【図７】
2006221926.tif 000009
【図８】
2006221926.tif 000010
【図９】
2006221926.tif 000011